(57)【要約】【課題】工事中に吸水した建材をその含有水分を放出して気乾状態に戻す建材の含有水分の除去方法を提供する。【解決手段】          建物の建設工事中に建物の上部躯体構造に用いられた建材の含有水分を放出するに際して、上部躯体構造を基礎構造の上に構築する躯体工事が完了した後に、上部躯体構造に強制換気装置を設置して運転し、上部躯体構造の内部空間に外気を導入して上記建材の含有水分の放出を促進し、含有水分の放出完了後に強制換気装置を撤去する。好適には有圧型換気装置を一階床下点検口に設置し、上部躯体構造の内部空間に導入される外気を、基礎構造の内部空間を経由して外部に排気する。【選択図】図２
2008255727.tif 000002
【特許請求の範囲】
【請求項１】
建物の建設工事中に建物の上部躯体構造に用いられた建材の含有水分を除去する方法であって、上部躯体構造を基礎構造の上に構築する躯体工事が完了した後に、上部躯体構造に強制換気装置を設置して一定期間運転し、上部躯体構造の内部空間に外気を導入して上記建材の含有水分の放出を促進することを特徴とする建材の含有水分の除去方法。
【請求項２】
含有水分の除去方法を一定期間行った後に上記強制換気装置を撤去することを特徴とする請求項１に記載の建材の含有水分の除去方法。
【請求項３】
基礎構造の内部空間に連通する上部躯体構造の開口部に上記強制換気装置を設置して運転し、上部躯体構造の内部空間に導入される外気を、基礎構造の内部空間を経由して外部に排気することを特徴とする請求項１又は２に記載の建材の含有水分の除去方法。
【請求項４】
上記強制換気装置として有圧型換気扇を上記開口部に取外し自在に設置することを特徴とする請求項３に記載の建材の含有水分の除去方法。
【請求項５】
上記強制換気装置を、吸気側を上部躯体構造内部空間に臨ませ、排気側を基礎構造内部空間に臨ませて、一階床開口部に設置することを特徴とする請求項１から４の何れか一項に記載の建材の含有水分の除去方法。
【請求項６】
上記強制換気装置の上部躯体構造内部空間に臨む側に、該強制換気装置を保護する保護部材を設けることを特徴とする請求項４又は５に記載の建材の含有水分の除去方法。
【請求項７】
上記強制換気装置の基礎構造内部空間に臨む側に風向変更手段を設けることを特徴とする請求項４から６の何れか一項に記載の建材の含有水分の除去方法。
【請求項８】
建材が、屋根材、床材又は外壁材であることを特徴とする請求項１から７の何れか一項に記載の建材の含有水分の除去方法。
【請求項９】
上記開口部が床下点検口である請求項３から８の何れか一項に記載の建材の含有水分の除去方法。
【請求項１０】
上記強制換気装置を、上部躯体構造の防水完了後から床下点検口の仕上げ施工までの間、連続運転することを特徴とする請求項９に記載の建材の含有水分の除去方法。
【請求項１１】
基礎構造の上に構築された上部構造に、上部構造の内部空間を基礎構造の内部空間に連通させる開口部が設けられた建物における建物の一時的な換気を行う方法であって、上記開口部に強制換気装置を設置して運転し、室内の空気を基礎構造の内部空間を経て外部に排気し、その後、強制換気装置を撤去することを特徴とする建物の一時的換気方法。
【請求項１２】
強制換気装置の運転を、室内の空気汚染源を加熱して揮発性有機化合物の発生を促進させた後に実施し、室内の揮発性有機化合物濃度を低減させることを特徴とする請求項１１に記載の建物の一時的換気方法。
【請求項１３】
基礎構造の上に構築された上部構造に該上部構造の内部空間を基礎構造の内部空間に連通させる開口部が設けられた建物において該開口部に一時的に設置される強制換気装置であって、上記開口部の開口縁部を形成する枠材に載置される支持部材と、該支持部材に取り付けられ、上部構造の内部空間の空気を吸引して基礎構造の内部空間に排気する換気扇本体と、該換気扇本体の上方に配設されて換気扇本体を保護する保護部材と、上記換気扇本体の下方に配設されて排気流れを変更させる風向変更部材とを具備することを特徴とする強制換気装置。
【請求項１４】
上記開口部が床下点検口であり、上記保護部材が、床面との段差が０〜３０ｍｍとなるように設置されることを特徴とする請求項１３に記載の強制換気装置。
【発明の詳細な説明】
【技術分野】
【０００１】
本発明は、一般に住宅等の建物を建設する際に使用される建材の含有水分の除去方法に係り、より詳細には建設工事中などに吸収した建材の余剰水分を建設工事中に放出させる方法に関する。
また本発明は、揮発性有機化合物濃度の低減等のために住宅を一時的に換気する方法に関する。
更に本発明は、上記建材の含有水分の除去方法及び一時的換気方法に用いる好適な強制換気装置に関する。
【背景技術】
【０００２】
住宅などの建物に使用される建材のなかで例えば工場成型されるコンクリートパネルやサイディングパネルなどは吸水性を有し、現場施工において、モルタルなど水分を含有する材料と接触するとその水分を吸収して水分を含んだ状態となる。
また、建物の建設方法により、建材の現場搬入後、降雨などにさらされることによって吸水する。特に、陸屋根などのフラットな屋根面やベランダのフラットな床面など排水勾配の小さい建物部位では、屋根床面の水はけが悪く、防水工事の施工完了前の降雨により建材が吸水することがある。
更に、技術革新により住宅などの建物の建設工事の期間は短縮される傾向にあり、吸水した建材が自然乾燥によって水分を放出することができる期間も短くなってきている。また、省エネルギー居住性向上の観点から特に気密性が高く設計された建物の建設も増えており、工事中の室内の自然換気量が十分ではなく、建材からの水分の放出が妨げられる傾向がある。
【０００３】
上記のような理由から建材が工事中に吸水しその水分の放出が十分になされなかった場合、建物の内部に結露が生じたり、建物の居住者に高湿感をもたらす原因となる。また建材中に余剰水分が存在していると、建材の耐久性にも影響を与える可能性もある。
【０００４】
従来、住宅の室内空気の除湿や換気を行うための装置としては様々なものが開発されているが、上記の問題を解決できる方法は見あたらない。例えば、特許文献１には、床下乾燥のために外気を加熱して床下に吹き込む換気除湿装置が開示され、特許文献２には、床下乾燥のために基礎換気口に換気扇を設置した床下空気の除湿用換気装置が開示されており、また特許文献３には、居住する建物内の換気を促進し入居者に嫌悪感を与えない住宅の換気システムが開示されている。しかしながら、これらの技術は全て完成した住宅において換気を如何にして行うかに関する技術であって、建築工事中に建材の余剰な含有水分を吸収してしまう問題を解決できるものではない。
【特許文献１】特開平０９−２２２５１号公報
【特許文献２】登録実用新案第３０３６５２０号公報
【特許文献３】特開平１１−２４７３１６号公報
【発明の開示】
【発明が解決しようとする課題】
【０００５】
本発明は、上記事情に鑑みてなされたもので、建材が建設工事中に吸水してしまう問題を効果的に解決する方法を提供するものであり、工事中に吸水した建材を、その含有水分を効果的に放出させて本来の気乾状態に戻す建材の含有水分の除去方法を提供する。
また本発明は、上記含有水分の除去方法と同様の方法で実施できる一時的換気方法を提供する。
更に本発明は、上記含有水分の除去方法及び一時的換気方法に用いる好適な強制換気装置を提供する。
【課題を解決するための手段】
【０００６】
第一の発明によれば、建物の建設工事中に建物の上部躯体構造に用いられた建材の含有水分を除去する方法であって、上部躯体構造を基礎構造の上に構築する躯体工事が完了した後に、上部躯体構造に強制換気装置を設置して一定期間運転し、上部躯体構造の内部空間に外気を導入して上記建材の含有水分の放出を促進することを特徴とする建材の含有水分の除去方法が提供される。
上部躯体構造を構成する建材のうち吸水性のものは建設工事中において種々の理由により吸水してしまうが、第一の発明の方法では、強制換気装置が外気を上部躯体構造の内部空間に導き、基礎構造を経由して外部に排出する際に、その外気の流れが吸水している建材を乾燥させ、建設工事中に建材の含有水分の放出が促進される。
【０００７】
ここで、上部躯体構造とは、基礎構造（コンクリート基礎や土台）より上部に構築される躯体部分全体を指す。躯体は、柱梁で構成される軸組の骨組に屋根・床スラブや外壁で覆われた躯体や壁式構造の躯体など特に限定されるものではない。
上部躯体構造の内部空間を形成する屋根・床スラブや外壁は、建物の設計の基準となるモジュール寸法に基いた規格化された寸法を有する建材であり、例えばコンクリートパネルやサイディングパネルなどを用いて構成され、躯体が完成すれば（棟上げ工事段階）、外部から雨水等が流入しない一定の内部空間が構成されているが、窓、換気扇等の開口部や建材間の間隙等を通じて外気が導入されうる。
よって、上部躯体構造は、外部に対して換気の必要のないほど開放された構造ではないし、内部空間が外部に対して密閉された構造でもなく、外部との自然換気が可能となる開口面積等（隙間相当面積）を具備し、躯体構造の建材の含有水分の放出に必要な換気量に相当する換気回数が確保される構造であり、換気の空気の流れ（内部空間の空気を強制換気扇により循環させて、内部の空気を外気に置換する）によって水分が運搬されるものである。
また、基礎構造は、上部躯体構造を含んだ建物の上部荷重を地盤に伝える基礎や土台で構成される下部構造であるが、その内部空間の換気のための換気口が外周基礎の立上り部の要所に適宜形成されているものである。
【０００８】
上部躯体構造に設置する強制換気装置の位置は、強制換気装置の運転により、上部躯体構造の内部空間に導入せしめられた外気が、上部躯体構造の内部空間を循環して、再び外部に排出されるならば、何処であっても構わない。
また、建材は、モルタルなどの水分を含有する建材と接触したり、雨水などにさらされることにより水分の吸収する建材を必須に含み、かかる吸水性の建材としては、工場成型される例えば軽量気泡コンクリート（ＡＬＣ）などのコンクリートパネル、サイディングパネルなどが特に例示される。
躯体工事完了とは、例えば、軸組構造の建物では、基礎や土台の上部に軸組である柱や梁が組立てられ、屋根パネルや床パネルが敷設され、外壁パネルの配設が完了した状態を指す。また、壁構造の建物においても同様に、基礎や土台の上部に屋根や床が敷設され、外壁パネルの配設が完了した状態である。
したがって、本発明に係る建材の含有水分の除去方法は、躯体工事完了後の一定期間、すなわち、上記躯体完了時を含み、以後の屋根パネル面の防水工事や外壁パネルの塗装、外壁パネル板間の隙間のシールを施工した後、内部間仕切り工事、内装工事の途中などに使用することができる。
【０００９】
このように第一発明に係る建材の含有水分の除去方法を使用した場合の作用、効果は以下の通りである。
強制換気装置を運転する前の状態は、降雨によって吸収した水分を含む建材の含有水分と内部空間の空気が含む水蒸気が平衡状態となり高湿度状態になっている。
先ず、強制換気装置の運転開始により徐々に上部躯体構造の内部空間の空気の除湿が行われる。即ち強制換気装置の吸引作用により、高湿度の空気が床下を経由して建物外部に排気され、高湿度の空気が一階床下の基礎構造の内部空間を経由して、強制的に外部に追い出される。
これに伴い、外部の湿度の低い新しい空気が建物の上部躯体構造の内部空間に導入され、上部躯体構造の内部空間中の高湿度の空気が湿度の低い空気（外気）に置換される。ここで、「除湿」とは空気中の湿り気を取り除くことをいい、建材が吸収する水分の除去（水分の放出）と区別される。
次に、建材の吸収する水分を上部躯体構造の内部空間の空気に放出する。即ち内部空間の高湿度の空気の水蒸気と平衡状態であった建材の含有水分が、上述の通り空気の置換によりその平衡状態が崩され、建材の表面（壁面や床面）から余剰水分（建材が降雨によって吸収した水分）が前記外部から導入された湿度の低い新しい空気中に放出され、徐々にその空気も湿度が上昇する。このような作用を繰り返すことにより、徐々に建材からその含有水分が除去される。
【００１０】
第二の発明によれば、第一の発明において、含有水分の除去方法を一定期間行った後に上記強制換気装置を撤去することを特徴とする建材の含有水分の除去方法が提供される。
建設工事中において建材の含有水分の放出が完了したと判断された後は、強制換気装置が撤去される。この点で、本発明は、一般的に居住者が住まっている住宅において行われる、キッチン、浴室又は居室の壁や天井に設置した換気装置による換気方法とは明確に異なる。
【００１１】
第三の発明によれば、第一又は第二の発明において、基礎構造の内部空間に連通する上部躯体構造の開口部に上記強制換気装置を設置して運転し、上部躯体構造の内部空間に導入される外気を強制循環させつつ一階床下に向けて誘導し、床下を構成する基礎構造の内部空間を経由して、再び外部に排気することを特徴とする建材の含有水分の除去方法が提供される。
このような構成によれば、吸水建材が用いられている上部躯体構造の内部空間に外気が導かれ、その間に余剰水分を吸った建材の含有水分の放出が図られる一方、外気との換気量が十分に確保された基礎構造の内部空間を経由して外部に排気される。ここで、強制換気装置が設置される上記開口部は、換気装置の設置のために専用に形成され、換気装置が撤去される場合に塞がれる開口部であっても、他の設備等が配置される前に開口となっている開口部であってもよいし、基礎構造に本来的に備わっている開口部を流用してもよい。
【００１２】
第四の発明によれば、第三の発明において、上記強制換気装置として有圧型換気扇を上記開口部に取外し自在に設置することを特徴とする建材の含有水分の除去方法が提供される。
後記するように、本発明の含有水分の除去方法において使用される強制換気装置は、通常の住宅に設置される換気装置と比較して風量が多いので、強制換気装置としては有圧型換気扇が用いられ、また含有水分の放出が完了した時点で撤去が容易になるように開口部に取外し自在に設置される。ここで、取外し自在に設置とは、例えば、強制換気装置がボルトなどで強固に固定されることなく、仮設の状態で一階床の開口部から吊り下がった状態で仮設されていることを言う。したがって、強制換気装置を撤去する場合も床開口部から簡易に持ち上げることができるようになっている。
【００１３】
第五の発明によれば、第一から第四の発明の何れか一において、上記強制換気装置を、吸気側を上部躯体構造内部空間に臨ませ、排気側を基礎構造内部空間に臨ませて、該一階床開口部に設置することを特徴とする建材の含有水分の除去方法が提供される。
吸気側を上部躯体構造内部空間に向け、排気側を基礎構造内部空間に向けて一階床開口部に強制換気装置を設置することにより、上部躯体構造から基礎構造への外気の円滑な流れが生じ、含有水分の放出が効果的になされる。
【００１４】
第六の発明によれば、第四又は第五の発明において、上記強制換気装置の上部躯体構造内部空間に臨む側に、該強制換気装置を保護する保護部材を設けたことを特徴とする建材の含有水分の除去方法が提供される。
このような構成によれば、作業者は保護部材の上を行き来することができ、また資材を強制換気装置の上に落下させても保護部材によって事故を防止することができる。
【００１５】
第七の発明によれば、第四から第六の発明の何れか一において、上記強制換気装置の基礎構造内部空間に臨む側に風向変更手段を設けたことを特徴とする建材の含有水分の除去方法が提供される。
このような構成により、強制換気装置からの空気の流れを、基礎構造に設けられた換気口に向けることができ、基礎構造内部空間の含有水分の放出も効果的になされる。
【００１６】
第八の発明によれば、第一から第七の発明の何れか一において、建材が、屋根材、床材又は外壁材であることを特徴とする建材の含有水分の除去方法が提供される。このような構成により、外部にさらされ降雨を受けやすい屋根材、床材、外壁材の含有水分の放出がなされる。
第九の発明によれば、第三から第八の発明の何れか一において、上記開口部が床下点検口である建材の含有水分の除去方法が提供される。このような構成では、含有水分の放出完了後に、床下点検口の仕上げ施工等がなされる。
第十の発明によれば、第九の発明において、上記強制換気装置を、上部躯体構造の防水完了後から床下点検口の仕上げ施工までの間、連続運転することを特徴とする建材の含有水分の除去方法が提供される。このような構成により、空気の除湿のための換気装置の運転期間を十分に確保することができる。
【００１７】
第十一の発明によれば、基礎構造の上に構築された上部構造に、上部構造の内部空間を基礎構造の内部空間に連通させる開口部が設けられた建物における建物の一時的な換気を行う方法であって、上記開口部に強制換気装置を設置して運転し、室内の空気を基礎構造の内部空間を経て外部に排気し、その後、強制換気装置を撤去することを特徴とする建物の一時的換気方法が提供される。
第十一の発明は、基礎構造の上に構築された上部構造に、上部構造の内部空間を基礎構造の内部空間に連通させる開口部が設けられた建物において、上記開口部に強制換気装置を設置して運転し、室内の空気を基礎構造の内部空間を経て外部に排気し、その後、強制換気装置を撤去するという点において、第二の発明と同様の技術的特徴を有する。このような換気方法は、室内の汚染物質を除去するのに好適に使用される。ここで、上部構造とは、建設工事が完了した建物において基礎構造の上に構築されているものを意味し、第一から第十の発明における建設工事中の上部躯体構造とは、区別される。
【００１８】
第十二の発明によれば、第十一の発明において、強制換気装置の運転を、室内の空気汚染源を加熱して揮発性有機化合物の発生を促進させた後に実施し、室内の揮発性有機化合物濃度を低減させることを特徴とする建物の一時的換気方法が提供される。
揮発性有機化合物（ＶＯＣ）濃度を低減させる場合に特に好適に適用される。
【００１９】
第十三の発明によれば、基礎構造の上に構築された上部構造に該上部構造の内部空間を基礎構造の内部空間に連通させる開口部が設けられた建物において該開口部に一時的に設置される強制換気装置であって、上記開口部の開口縁部を形成する枠材に載置される支持部材と、該支持部材に取り付けられ、上部構造の内部空間の空気を吸引して基礎構造の内部空間に排気する換気扇本体と、該換気扇本体の上方に配設されて換気扇本体を保護する保護部材と、上記換気扇本体の下方に配設されて排気流れを変更させる風向変更部材とを具備することを特徴とする強制換気装置が提供される。
このような構成によれば、第一から第十二の発明において、好適に使用される強制換気装置が提供される。特に、保護部材により強制換気装置の上部においても作業が可能であり、また風量変更部材により基礎構造内部空間も含有水分の放出がなされる。
第十四の発明によれば、第十三の発明において、上記開口部が床下点検口であり、上記保護部材が、床面との段差が０〜３０ｍｍとなるように設置されることを特徴とする強制換気装置が提供される。
【発明の効果】
【００２０】
第一の発明によれば、工事中に強制換気装置を設置して運転するようにしたので、建材が建設工事中に吸水してしまっても、建材を短い建設工期中に効果的に含有水分の放出して気乾状態に戻すことができる。
第二の発明によれば、含有水分の除去方法を一定期間行った後に強制換気装置を撤去するようにしたので、建物に余分な設備を付加する必要はなく、また同様の建物の建設工事に同一の強制換気装置を繰り返し利用することができ、経済的である。
第三の発明によれば、基礎構造を通して排気するようにしたので、上部躯体構造を構成する建材の含有水分の放出を隅々まですることができる。
【００２１】
第四の発明によれば、有圧型換気扇を開口部に取外し自在に設置するようにしたので、住宅等の建物の建材の含有水分の放出を工期中に確実に行うことができ、また換気装置の撤去が容易である。
第五の発明によれば、一階床開口部に吸気側を上部躯体構造内に臨ませ排気側を基礎構造内に臨ませて強制換気装置を設置したので、外部からの空気の流れが円滑になり、建材の含有水分の放出を効果的に実施することができる。
第六の発明によれば、強制換気装置の上方に保護部材を設けたので、強制換気装置の上での作業、行き来が可能になるとともに、資材が強制換気装置内に落下して事故となる恐れもない。
第七の発明によれば、風向変更手段により基礎構造内部空間に導かれた空気が換気口に円滑に導かれ、基礎構造内部の含有水分の放出も図られる。
【００２２】
第八の発明によれば、外部にさらされ降雨を受けやすい屋根材、床材、外壁材の含有水分の放出が効果的になされる。
第九の発明によれば、強制換気装置を設置するための開口部をわざわざ設けなくてもよいので、工期が短縮され、経済的であり、また工業化住宅などの部材が規格化された建物では、その床下点検口も同一の規格になっているので、個々に建設される各建物に同一支持部材や換気装置を使用することができる。
第十の発明によれば、吸水した建材の含有水分の放出を確実に行うことができる。
第十一の発明によれば、建物の換気を一時的に大容量で行いたいときに、換気を効果的に行うことが可能になる。
第十二の発明によれば、揮発性有機化合物濃度を効果的に低減させることができる。
第十三の発明によれば、建設工事においても邪魔にならないように設置することができ、また効率的に換気を行うことができる強制換気装置が得られる。
第十四の発明によれば、建築作業に支障を来すことなく含有水分の放出を行うことができる。
【発明を実施するための最良の形態】
【００２３】
本発明の第一の実施形態に係る建材の含有水分の除去方法は、建物の建設工事中に建物の上部躯体構造に用いられた建材の含有水分を放出するに当り、上部躯体構造を基礎構造の上に構築する躯体工事が完了した後に、上部躯体構造に強制換気装置を設置して一定期間運転し、上部躯体構造の内部空間に外気を導入して、建設工事中に吸水した建材を乾燥させるものである。
ここで対象とされる上部躯体構造は、基礎構造の上に構築される通常の一階建て、二階建て、三階建て等の上部躯体構造であり、建材の少なくとも一部に吸水性の建材が使用されていて、該建材が建築工事中に吸水してしまう可能性がある構造のものであれば、本発明の含有水分の除去方法を適用することができる。上部躯体構造は、好適には、工場成型されるコンクリートパネル等の建材により壁、床、屋根が構築されたもので、上部躯体構造の構築工事が完了した時点では、壁、床、屋根等が組み上げられて一定の内部空間が形成され、雨水等が流入しないように屋根部等に防水工事が施される一方、窓サッシ、換気扇用貫通穴、建材間の隙間等が密閉（シール）されていないか、外形的にはシールされていてもまだ不完全な状態であり、壁等に一定の開口部、貫通穴、隙間等が存在し、ある程度外気が流入する状態のものである。すなわち、上部躯体構造は、防水工事等が完了して雨水等により建材が更に吸水することはない構造であるが、部材及び部材間に隙間を有し、後記する必要な換気量に相当する換気回数が確保される構造である。
【００２４】
強制換気装置は、上部躯体構造の内部空間に外気を導入できる位置であれば、何処に設置しても構わず、例えば窓等の開口部に設置することが可能である。よって、窓等の開口部に強制換気装置を設置して運転する形態も本発明の実施形態である。しかしながら、例えば窓の開口部に設置すると、幾つかの問題が生じる場合がある。すなわち、窓に強制換気装置を設備すると、雨天時に雨水の吹込みがありうること、開口部周辺の施工に障害が多いこと、防犯上の問題があること、サッシを傷つける恐れがあること、排気や騒音が隣家に迷惑をかける恐れがあることなどの不具合がある。
【００２５】
そこで、本発明の好適な実施形態に係る方法では、これらの問題を回避するために、一階床に強制換気装置を設置し、基礎構造の内部空間を通じて外部に排気する。
上部躯体構造を支持する基礎構造は、換気口が備えられている通常の基礎構造であれば如何なるものでもよい。基礎構造は、例えば鉄筋コンクリート連続布基礎であり、外周部と内周部が全て一体化されたものを考えることができ、その場合、外周部の基礎構造の立上り部には複数の換気口が長手方向に沿って適宜間隔を開けて設けられ、また内周部の基礎構造の立上り部にも基礎グリッド間を互いに連通させる複数の換気口が長手方向に沿って適宜間隔をあけて設けられており、これら換気口を通じて基礎構造の内部空間の自然換気がなされる。この基礎立上り部の換気口は、例えば概ね４ｍおきに約３００ｃｍ２の見付け面積（基礎立上り面に設ける）を有し、強制換気装置による排気に十分な開口面積を得ることができる。
空気を基礎構造の内部空間を通じて排出するには、強制換気装置を、基礎構造の内部空間に連通する上部躯体構造の開口部に設置する。この開口部は、例えば一階床スラブの一部を未施工としておいて利用し、含有水分の放出作業の終了後に、その部分を仕上げるということも考えられるが、戸建住宅等の一階床には、通常、床下点検口などの床開口部が存在する。そこで、例えばその床下点検口を、工事期間中の一定の期間、強制換気装置を設置する開口部として利用することができる。
【００２６】
ここで、強制換気装置により建材の含有水分の放出を行う場合に必要な換気量等について検討する。
図１は、基礎構造の上に二階建て家屋の上部躯体構造が構築された状態を示しており、一階床に設置された強制換気装置の運転により、上部躯体構造の開口部、隙間等から外気が一階、二階の室内に導入され、上部躯体構造の壁、床、天井、屋根を構成する吸水した建材の乾燥を行い、一階に導入された外気はそのまま一階の床下点検口に設置した強制換気装置を経由し、二階に導入された外気は吹き抜け等を経てやはり一階の床下点検口に設置した強制換気装置によって吸引され、床下の基礎構造の内部空間に導かれ、基礎構造の換気口から再び外部に排気される。なお、一般的に設計された住宅の場合、一階の床下空間である基礎構造の内部空間の気積は、上部躯体構造の内部空間の気積の約１／１０程度以上で、換気回数としては上部躯体構造の内部空間の約１０倍以上に相当する。
【００２７】
本発明に係る建材の含有水分の除去方法の作用、効果は以下の通りである。
強制換気装置を運転する前の状態は、降雨によって吸収した水分を含む建材の含有水分と内部空間の空気が含む水蒸気が平衡状態となり高湿度状態になっている。
先ず、強制換気装置の運転開始により徐々に上部躯体構造の内部空間の空気の除湿が行われる。即ち強制換気装置の吸引作用により、高湿度の空気が床下を経由して建物外部に排気され、高湿度の空気が一階床下の基礎構造の内部空間を経由して、強制的に外部に追い出される。
これに伴い、外部の湿度の低い新しい空気が建物の上部躯体構造の内部空間に導入され、上部躯体構造の内部空間中の高湿度の空気が湿度の低い空気（外気）に置換される。ここで、「除湿」とは空気中の湿り気を取り除くことをいい、建材が吸収する水分の除去（水分の放出）と区別される。
次に、建材の吸収する水分を上部躯体構造の内部空間の空気に放出する。即ち内部空間の高湿度の空気の水蒸気と平衡状態であった建材の含有水分が、上述の通り空気の置換によりその平衡状態が崩され、建材の表面（壁面や床面）から余剰水分（建材が降雨によって吸収した水分）が前記外部から導入された湿度の低い新しい空気に放出され、徐々にその空気も湿度が上昇する。このような作用を繰り返すことにより、徐々に建材からその含有水分が除去される。
また外部から外気を導入して上部躯体構造の内部空間の空気を強制循環させるために必要な換気量は、建材から除去したい水分量に基いて設定することができ、その換気量は約２回／時以上の換気回数が好ましい。なお、この換気量は、工事中としては許容される量であるものの実居住環境での換気量（基準値：０．５回／時）に比べて大きすぎるレベルである。
【００２８】
一例として、上部躯体構造を構成する建材が含んでいる水分重量のうち２ｔを強制換気により除去するための換気量は次のようにして試算される。
先ず、上部躯体構造の内部空間に流入する外気が、例えば、東京の４月の月平均である気温が１５．１℃、相対湿度が６１％ＲＨであると仮定する。そして、このときの上部躯体構造の内部空間の相対湿度が１００％ＲＨとし、流入外気が上部躯体構造の内部空間を強制循環した後、床下の基礎構造の内部空間に吸引されるときの相対湿度を、前記流入外気（６１％ＲＨ）と上部躯体構造の内部空間（１００％ＲＨ）の相対湿度値の中央値である８０．５％ＲＨと仮定する。ここで、簡易計算のため温度は変化しないものと仮定する。
この場合、建物に流入する前の外気は気温１５．１℃、相対湿度６１％ＲＨの状態であるから、７．８６９ｇ／ｍ３の水分を有していることになるが、上部躯体構造の内部空間に入った新しい湿度の低い空気が余剰水分を含有する建材に接することにより平衡状態が崩れて、水分が建材から室内空気に移動する。そして、その空気が床下の基礎構造の内部空間に吸引される際には、気温１５．１℃、相対湿度８０．５％ＲＨであり、１０．３８５ｇ／ｍ３の水分を含有している状態となる。したがって、計算上、流入外気は、上部躯体構造の内部空間を対流して、基礎構造の内部空間を経て外部に戻る間に、１０．３８５ｇ／ｍ３−７．８６９ｇ／ｍ３＝２．５１ｇ／ｍ３の水分を移動させることができることになる。
ここで、強制排気を実施できる工事期間を４０日間として、上部躯体構造の内部空間を構成する建材から２ｔの水分を排出するには、
２,０００,０００ｇ／(４０日×２４時間)／(２．５ｇ／ｍ３)＝８３３ｍ３／時
の換気量が必要となる。
そこで、１０００ｍ３／時の換気能力を有する換気設備を使用すれば十分と考えられる。
ちなみに１０００ｍ３／時の換気能力を有する換気設備を使用した場合の東京の月別の水分重量を試算すると、強制排気を実施できる工事期間４０日で、１月は、１．８ｔの水分重量、４月は、２．４ｔの水分重量、７月は、２．４ｔの水分重量、１０月は、３．０ｔの水分重量の排出が期待できる。
実際には、換気装置の設置初期は、上部躯体構造内が高湿度のため、排出量が大きく、乾燥が進むにつれて、上部躯体構造内の相対湿度は低下し、水分排出量は減少する。また、現場での作業のため、換気装置の運転時間が減少することはあり得るので、その点を見込む必要がある。
【００２９】
以上説明した１０００ｍ３／時の換気量は、例えば延べ床面積が４０坪の住宅（階数は２階でも３階でもよい）の換気回数としては３．３回／時に相当し、現場における躯体を構成する建材の含有水分の放出を行うためには、通常の換気を行う場合に比して多くの換気量が必要となる。その換気回数は、実居住環境での換気に比べて大きすぎるレベルである。
ちなみに、一般に、住宅内では、２００３年の建築基準法改正により、室内空気質の観点から０．５回／時の換気設備の設置が義務づけられているが、居住する環境下、特に冬期において、換気量が多い場合、気流感により快適性が損なわれる場合があり、このため１．０回／時を超える場合が過換気とされる。なお、窓開けにより通風換気を行う場合の換気量は概ね３０回／時以上である。
上記のように強制換気装置は、風量が多いものが使用され、好適には２〜１０回／時の換気回数を達成できるものが選択され、特に、内外差圧が大きくとも排気量が落ち難い有圧型換気扇が用いられる。
【００３０】
次に本発明に係る強制換気装置９の設置構造について説明する。
強制換気装置９は、箱状の支持部材１７に収納して支持部材１７ごと床下点検口８から床下に落とし込まれ、支持部材１７が床下点検口８において一階床面より下側に納められ突出することがない。また、強制換気装置９の上は、床下点検口８の周縁を利用して載置した格子状の保護部材１９で保護する。すなわち、保護部材１９は、床下点検口８周縁に沿って支持部材１７のフランジ状縁部１７ｂ上に嵌め込まれ、その設置高さは、一階床面とほぼ同じレベルになっている。
【００３１】
図２は、有圧型換気扇からなる強制換気装置を一階床下点検口に設置した例を示すもので、図中１は連続布基礎の外周部の立上り部と内周部の立上り部が一体化された基礎構造で、外周部には複数の換気口２が長手方向に沿って適宜間隔を開けて設けられ、また内周部にも基礎グリッド間を互いに連通させる複数の換気口が長手方向に沿って適宜間隔をあけて設けられており、基礎構造内の換気が可能な構造とされている。この換気口２は、例えば概ね４ｍおきに配され、例えば約３００ｃｍ２の見付け面積を有しており、強制換気装置による排気に十分な開口面積を得ることができる。また図中３は基礎構造１の上に構築された上部躯体構造であり、４は一階床スラブ、４ａは床パネルの表面、５は二階床スラブ、６は一階と二階を連通させる吹き抜け部、７は窓等が設置されている開口部である。
上記上部躯体構造３の一階床スラブ４には、床下点検口８が設けられており、この床下点検口８に、有圧型換気扇からなる強制換気装置９が、吸気側を一階居室側に、排気側を基礎構造３の内部空間に向けて取外し自在に設置される。
そして、この強制換気装置９を運転することにより、上部躯体構造３の開口部７や図示しない部材間の隙間等から外気が室内に導入され、強制換気装置９によって吸引されて、基礎構造１の内部空間に導かれ、換気口２から再び外部に排出されて換気がなされ、その間の空気の強制循環により、上部躯体構造３を構成する建材が乾燥せしめられ、また基礎構造１内の含有水分も放出されるようになっている。
【００３２】
図３は、一階の床下点検口８への強制換気装置９の設置構造を更に詳細に示す一階床の断面図である。床下点検口８は、一階床スラブ４に形成された矩形の貫通口であり、貫通口は、該貫通口を設けるべき１枚の床パネル領域に断面視Ｌ字状の部材で構成された床敷設用鋼製枠部材１１を敷設し、部分的に床パネルを敷設することにより形成される。
そして、貫通口の内周縁部には、その鋼製枠部材１１に沿って床開口枠部材１０が固定して取り付けられている。すなわち、該床開口枠部材１０は、鋼製枠部材１１の断面視Ｌ字状の立上り片に当接させ、一階床スラブ４側の水平片に当接させて取り付けられている。
また該枠部材１０の略水平な上面には、枠部材１０と略同じ外周寸法であるが幅が枠部材１０よりも小さい外枠部材１２が固定して取り付けられ、これによって枠部材１０の上面で外枠部材１２の内側部分に受け座１３が形成されている。この構造は、通常の工業化住宅において施工される床下点検口の床開口部構造で、規格化された複数のコンクリートパネルを基礎、土台又は梁に設けた床スラブである。
【００３３】
強制換気装置９は、フレーム１４と、駆動部１５と羽根部材１６とからなる換気扇本体とで構成され、支持部材１７の矩形の開口部が形成された底部１７ａに載せられている。フレーム１４は、着座部がフランジ状に外方に広がった矩形のフレーム枠１４ａ上に複数のタスキ状のアーム部１４ｂが設けられ、駆動部１５は、駆動軸１５ａがフレーム枠１４ａの略中心側を向く状態でアーム部１４ｂに支持され、羽根部材１６は、駆動軸１５ａに取り付けられてフレーム枠１４ａに囲まれた位置に配されて、支持部材１７に取り付けられて支持部材１７ごと、上記受け座１３に載置されている。
本発明では、床下開口部に対する前記支持部材１７や前記支持部材１７に対する前記強制換気装置９の着脱が容易に可能となるように構成されているので、建物の工事中の任意に時期に、工程や職種にかかわらず、だれでも強制換気装置の設置や撤去が可能である。
また、この強制換気装置９は、建物の建設工事中に仮設で設置する換気扇装置であり、また換気装置装置９の着脱作業は、床スラブ面４ａの上側から行うワンサイド作業であるため、上下両側から作業しなければならないボルトなどによる固定を排除している。この場合、換気装置運転時に振動が発生することが問題となるが、これを抑制するべく床敷設用の鋼製枠部材１１と支持部材１７間のクリアランスを３〜５ｍｍ程度に設定し、支持部材１７が横ずれしないように外枠部材１２の内側部分の受け座１３枠に嵌め込んだ形にしている。 
【００３４】
図４に示されるように、支持部材１７は、矩形の開口部が形成されて底部１７ａが帯状とされた矩形の箱状枠体であり、強制換気装置９は、この底部１７ａにフレーム枠１４ａのフランジ状部分が着座せしめられてボルト・ナット等の締結手段１８で締結され、支持部材１７に取り付けられている。
また、支持部材１７の上縁部は、外側方に折曲されてフランジ状に形成され、このフランジ状縁部１７ｂが上記受け座１３に着座されて、支持部材１７が強制換気装置９ごと、上記枠部材１０に載置されている。更に、支持部材１７の床下側方向の長さ（深さ）は、強制換気装置９の頂部である駆動部１５が、枠部材１０の上面の高さよりも低い位置に位置せしめられるような深さが確保されている。
【００３５】
そして、図５に示すように、支持部材１７の上には、矩形の周部材１９ａに複数の棒状の格子１９ｂが設けられてなる矩形の保護部材１９が、周部材１９ａを、上記枠部材１０の受け座１３に着座された支持部材１７のフランジ状縁部１７ｂ上に当接させて載置され、この保護部材１９の上面は、上記外枠部材１２の上面とほぼ同一高さとされている。この保護部材１９は、好ましくは、床面との段差が０〜３０ｍｍとなるように設置される。
また強制換気装置９は、設置状態で上方に当たる上部躯体構造側を吸気側とし、下方に当たる基礎構造１の内部空間側を排気側とするもので、有圧型であり、排気は軸方向下方に向けてなされる。よって、強制換気装置９には、風向変更手段が設けられている。すなわち、強制換気装置９が取り付けられた上記支持部材１７には、風向変更手段を構成する邪魔板２０が、強制換気装置９の羽根部材１６から下方に一定間隔をおいて配され、複数のボルト・ナット等からなる連結手段２１によって固定されており、軸方向下方に排気された空気の流れはこの邪魔板２０に当たって水平方向に風向を変更して流れていく構成とされている。
【００３６】
以上のような強制換気装置９は、箱状の支持部材１７に収納して支持部材１７ごと一階床面に設けられた床下点検口８から一階床下に落とし込むことにより、簡便に設置でき、また装置の自重があるため、設置状態も安定である。また、含有水分の放出作業が完了した段階では、支持部材１７ごと床下点検口８から引き上げることによって容易に撤去でき、例えば窓等に設置した場合のように、撤去時に建物や他の設備に損傷を与えることはない。
更に、支持部材１７が床下点検口８において一階床面より下側に納められ突出することがないので、強制換気装置９の上は、床下点検口８の周縁を利用して載置した（嵌め込んだ）格子状の保護部材１９で保護する。すなわち、保護部材１９は、その設置高さは、一階床面とほぼ同じレベルにするようにしている。
強制換気装置９の上に床下点検口８の周縁を利用して載置した格子状の保護部材１９で保護することができ、空気の流入を確保しながら強制換気装置９の上に工事資材等が落下することを未然に防止することができ、また保護部材１９は、床下点検口８周縁に沿って支持部材１７のフランジ状縁部１７ｂ上に嵌め込まれ、その設置高さを一階床面とほぼ同じレベルにするようにしたので、作業者は強制換気装置９の上を自由に歩行でき、荷物の移動時にも換気装置を引っ掛けたりすることはなく、現場での良好な作業性が担保される。
【００３７】
上記のような構造の強制換気装置９は、有圧型であるので、空気の除湿に必要な多量の風量を一基で確保できる。上記強制換気装置９を運転すると、上部躯体構造３の内部空間は、減圧気味になり、ＡＬＣ建材等の建材からの余剰水分の放出が促進される。その場合、一定の気流感は生じるが、建設工事中であるためそれが問題となることはない。
更に、床下点検口８への設置なので、窓に設置する場合のように、作業者が不在の夜間でも防犯上の問題を生じさせることはなく、また排気や騒音等で隣家に迷惑をかけることもない。
【００３８】
以上のように、強制換気装置９を運転して、外気を上部躯体構造３の内部空間に導き、上部躯体構造３の内部空間において強制循環させて、基礎構造１の内部空間を経由してその換気口２から再び外部に排出するが、その流通せしめられる外気が、種々の理由により吸水している上部躯体構造３の建材周辺を通過して、建材の表面から水分を吸収し、これを乾燥させ、建設工事中において建材の含有水分の放出が促進される。強制換気装置９の運転は、上部躯体構造３の防水工事が完了した後、含有水分の放出が完了するまで、もしくは床下点検口８の仕上げ施工が必要となり、強制換気装置９を外さなければならない時期までの間、実施することができ、作業者がいる日中のみならず、夜間でも実施することができる。
含有水分の放出が完了した時点で、強制換気装置９は、支持部材１７ごと、床下点検口８から引き上げて撤去する。その際、強制換気装置９は床下点検口８に落とし込んでいるだけであるので、後片付けが容易であり、設置場所周辺を損傷させることもない。また、床下点検口８は寸法が通常は規格化されているので、取り外した強制換気装置９を他の住宅の建築現場においてそのまま何度も使用することができる。
【００３９】
本発明の第二の実施形態は、建物の一時的換気方法である。すなわち、上述したように、工事中に吸水した建材を工事中に乾燥させるために本発明の含有水分の除去方法を実施することができるが、その好適な実施形態である床下点検口から基礎構造を通しての大容量の換気方法は、建材の含有水分の除去目的以外にも利用できる。その一例は、ホルムアルデヒド等の揮発性有機化合物を除去する方法である。すなわち、建物の完成後に、シックハウス対策として、室内を加熱し、揮発性有機化合物等の汚染物質の発生を加速させる。例えば、新築住宅において放射式暖房機等により室内を例えば約３０℃、２４時間から７２時間加熱し、内装建材等に含まれる揮発性有機化合物の発生を促進させる。ついで、発生した揮発性有機化合物を換気により排気させるが、その際の換気は徹底して行わなければならず、住宅に設備されている風量の換気装置では不十分となることが考えられる。よって、このような場合に、本発明の一時的換気方法を利用すると、汚染空気を確実に排気することができる。
このような目的の換気方法又は何らかの他の理由により迅速なもしくは大容量の換気を一時的に行うことが必要となった場合に、床下点検口に、前述のものと同様の構造の強制換気装置を設置し、換気回数を確保するために開口部を適度に開放して、換気を実施することができる。
【実施例】
【００４０】
以下、本発明の方法を、実施例（検証例）によって更に詳細に説明する。
［検証例１］
三階建ての住宅において、一階床の床下点検口に換気風量１０２０ｍ３／時の有圧型換気扇を設置し、該換気扇を一定期間連続運転して、一階床全体にわたって撥水処理ＡＬＣ床パネルがどのように乾燥させられるかを調べた。
【００４１】
（比較例１）
比較のために、ＡＬＣ床パネル床を構築した住宅において、先ず、換気扇を設置しない状態で、ＡＬＣ床パネルの表面重量含水率を測定した。図６はこの場合の表面重量含水率を、一階床の床パネル上面、二階床の床パネル下面、三階床の床パネル下面、屋上階床の床パネル下面について初日（６月８日）、１１日目（６月１８日）、２２日目（６月２９日）に測定した結果をグラフで示している。
図６のグラフから分かるように、測定初日では、一階床のＡＬＣ床パネルの含水率は３９重量％で、他の箇所では２０重量％前後であったところ、日数が経過すると共に、含水率は、元々高かった一階床の床パネルについては下がっているが、それでも３０重量％近くはある。一方、含水率の低かった上階のＡＬＣ床パネルは、含水率が逆に上昇している。
【００４２】
（本発明例１）
次に、ＡＬＣ床パネルを用いて床を構築した住宅において、その床下点検口に換気風量１０２０ｍ３／時の有圧型換気扇を設置し、該換気扇を連続運転して、上記と同様にして、ＡＬＣ建材の表面重量含水率を、一階床の床パネル上面、二階床の床パネル下面、三階床の床パネル下面、屋上階の床パネル下面について測定した。図７はその結果を示すもので、初日（７月８日）、１０日目（７月１７日）、１９日目（７月２６日）、２６日目（８月２日）に測定したＡＬＣ建材の表面重量含水率が示されている。
図７のグラフから分かるように、測定初日では、一階床のＡＬＣ床パネルの含水率は２８重量％、他の階では２０重量％前後であったところ、日数が経過すると共に、含水率は、一階床については１１重量％に減少し、他の階も１５重量％以下に減少した。
これらの結果から、床下点検口に換気扇を設置して運転した換気によって、建材の乾燥が大幅に促進されていることが分かる。
【００４３】
［検証例２］
検証例１と同様の三階建ての住宅において、検証例１と同様にその床下点検口に換気風量１０２０ｍ３／時の有圧型換気扇を設置し、該換気扇を一定期間連続運転して、一階床全体にわたってＡＬＣ床パネルがどのように乾燥しているかを調べた。
【００４４】
（比較例２）
先ず、初日（７月８日）に一階床に敷設されているＡＬＣ建材全てについて表面含水率を測定したところ、図８（ａ）に示す結果が得られた。この図は一階床に敷設されたＡＬＣ建材を上から見た配置で、表面含水率が高いＡＬＣ建材ほど色が濃く表されている。この検証例で、測定したＡＬＣ建材（床パネル）の枚数は３４枚であり、各パネル内に記載された数字は表面含水率（重量％）である。この図から、表面含水率は平均が２８．３重量％であったが、一階床の場所によって表面含水率がかなりばらついていることが分かる。
【００４５】
（本発明例２）
ついで、換気扇を一定期間連続運転して含有水分の放出を行い、２６日目（８月２日）に表面含水率を再度測定した。その結果を図８（ｂ）に示す。この図によると、換気扇の運転による乾燥後は、表面含水率はほぼ均等に減少し、９〜１４重量％の範囲になっている。また、表面含水率は、換気扇までの距離に無関係にほぼ均等に乾燥させられており、よどみは見られなかった。
以上の検証結果は、本発明の含有水分の放出方法によって、ＡＬＣ建材の乾燥を効果的にかつ敷設面積に対して均等に達成できることを裏付けている。
【産業上の利用可能性】
【００４６】
本発明の建材の含有水分の放出方法は戸建住宅等の建物の建設時に利用することができる。本発明の建物の一時的換気方法は、一時的に大容量の換気を行うことが必要となった場合、特にシックハウス対策を実施する際に利用することができる。本発明の強制換気装置は、建材の含有水分の放出やシックハウス対策等のために行う建物の一時的換気に好適に利用できる。
【図面の簡単な説明】
【００４７】
【図１】本発明の含有水分の除去方法において必要とされる換気量を試算するために本発明の含有水分の除去方法を示した参考図である。
【図２】本発明の含有水分の除去方法に使用される強制換気装置を建物の床下点検口に取り付けた状態を示す模式図である。
【図３】本発明の含有水分の除去方法に使用される強制換気装置を建物の床下点検口に取り付け状態を示す断面図である。
【図４】強制換気装置が取り付けられる支持部材の平面図である。
【図５】強制換気装置の上に配置される保護部材の平面図である。
【図６】本発明の含有水分の除去方法の検証例を示すもので、換気対策を行わない場合のＡＬＣ建材の乾燥状態を示すグラフである。
【図７】図６と同様の検証例を示すもので、換気促進を行った場合のＡＬＣ建材の乾燥状態を示すグラフである。
【図８】一階床ＡＬＣ建材の乾燥状態を示す図で、（ａ）は換気装置の運転を行う前の状態を示し、（ｂ）は換気装置の運転を行った後の状態を示す。
【符号の説明】
【００４８】
１        基礎構造
２        換気口
３        上部躯体構造
４        一階床スラブ
８        床下点検口
９        強制換気装置
１５      駆動部
１７      支持部材
１９      保護部材
２０      邪魔板（風向変更手段）
【図１】
2008255727.tif 000003
【図２】
2008255727.tif 000004
【図３】
2008255727.tif 000005
【図４】
2008255727.tif 000006
【図５】
2008255727.tif 000007
【図６】
2008255727.tif 000008
【図７】
2008255727.tif 000009
【図８】
2008255727.tif 000010